(57)【要約】【課題】スイッチの操作が行われることなく紫外線センサーを動作および停止させることができ、消費電力を削減することができる。【解決手段】紫外線センサー１０５は、紫外線強度を測定する。時刻計測部１０７は、時刻情報を出力する。ＲＡＭ１１０は、紫外線を測定する測定時間帯を特定する測定時間帯情報を記憶する。表示部１０８は、紫外線センサー１０５が測定した紫外線強度を示す情報を表示する。ＣＰＵ１０１は、時刻計測部１０７が出力する時刻情報で特定される時刻が測定時間帯情報で特定される測定時間帯に含まれる場合には紫外線センサー１０５を動作させ、時刻計測部が出力する時刻情報で特定される時刻が測定時間帯情報で特定される測定時間帯に含まれない場合には紫外線センサー１０５の動作を停止させる。【選択図】図１
2011179985.tif 000002
【特許請求の範囲】
【請求項１】
紫外線強度を測定する紫外線センサーと、
時刻情報を出力する時刻計測部と、
紫外線を測定する測定時間帯を特定する測定時間帯情報を記憶する記憶部と、
前記紫外線センサーが測定した前記紫外線強度を示す情報を表示する表示部と、
前記時刻計測部が出力する前記時刻情報で特定される時刻が前記測定時間帯情報で特定される前記測定時間帯に含まれる場合には前記紫外線センサーを動作させ、前記時刻計測部が出力する前記時刻情報で特定される時刻が前記測定時間帯情報で特定される前記測定時間帯に含まれない場合には前記紫外線センサーの動作を停止させる制御部と、
を備えたことを特徴とする紫外線測定装置。
【請求項２】
前記制御部は、前記時刻計測部が出力する前記時刻情報で特定される時刻が前記測定時間帯情報で特定される時間帯に含まれる場合には、一定時間毎に紫外線強度を測定するように前記紫外線センサーを制御する
ことを特徴とする請求項１に記載の紫外線測定装置。
【請求項３】
前記制御部は、前記紫外線センサーが今回測定した紫外線強度と前回測定した紫外線強度とを比較し、強度が強い方の前記紫外線強度を示す情報を前記表示部に表示させる
ことを特徴とする請求項１または請求項２のいずれか１項に記載の紫外線測定装置。
【請求項４】
前記時刻計測部は日付情報を出力し、
前記記憶部は季節毎の季節測定時間帯情報を記憶し、
前記制御部は、前記時刻計測部が出力する前記日付情報に基づいて前記季節を特定し、前記記憶部が記憶する当該季節の前記季節測定時間帯情報を前記測定時間帯情報であると決定する
ことを特徴とする請求項１から請求項３のいずれか１項に記載の紫外線測定装置。
【請求項５】
前記時刻計測部は日付情報を出力し、
前記記憶部は、前記紫外線センサーが測定した紫外線強度と、当該紫外線強度を測定した日時とを関連付けて記憶し、
前記制御部は、前記記憶部が記憶する前日に測定した紫外線強度に基づいて前記測定時間帯情報を決定する
ことを特徴とする請求項１から請求項３のいずれか１項に記載の紫外線測定装置。
【請求項６】
前記記憶部は、日焼けに影響のある紫外線強度を示す閾値を記憶し、
前記制御部は、前日に測定した各測定時刻での紫外線強度に基づいて未測定の時刻での紫外線強度を予測し、前日に測定した各測定時刻での紫外線強度および予測した未測定の時刻での紫外線強度が前記閾値を超えている時間帯を示す情報を前記測定時間帯情報とする
ことを特徴とする請求項５に記載の紫外線測定装置。
【発明の詳細な説明】
【技術分野】
【０００１】
本発明は、紫外線測定装置に関する。
【背景技術】
【０００２】
従来、紫外線量を測定する電子機器は、紫外線の測定の開始を指示するスタートスイッチが押下されることによって測定を開始するものが一般的である。また、屋内や屋外など紫外線量を測定する場所や、天候などの選択する入力を受け付け、入力されたデータに基づいて日焼け現象を予測する装置が知られている（例えば、特許文献１参照）。
【先行技術文献】
【特許文献】
【０００３】
【特許文献１】特開２００６−７１５８２号公報
【発明の概要】
【発明が解決しようとする課題】
【０００４】
しかしながら、ユーザにとって、紫外線値を測定するたびにスイッチを入力することはとてもわずらわしい。これを解決するために、常に紫外線センサーを動作させて所定間隔で紫外線の測定を行うＵＶ（ｕｌｔｒａｖｉｏｌｅｔ、紫外線）測定モードを設けることで、所定間隔での紫外線の測定を行うことは可能である。しかしながら、紫外線センサーを動作させ続けるために必要な消費電力は大きいため、この測定方法は、大容量のバッテリーを搭載することができない小型の携帯型電子機器には不向きであるという問題がある。
【０００５】
そこで本発明は、上述の事情を鑑みてなされたものであり、スイッチの操作が行われることなく紫外線センサーを動作および停止させることができ、消費電力を削減することができる紫外線測定装置を提供することを目的とする。
【課題を解決するための手段】
【０００６】
本発明は、紫外線強度を測定する紫外線センサーと、時刻情報を出力する時刻計測部と、紫外線を測定する測定時間帯を特定する測定時間帯情報を記憶する記憶部と、前記紫外線センサーが測定した前記紫外線強度を示す情報を表示する表示部と、前記時刻計測部が出力する前記時刻情報で特定される時刻が前記測定時間帯情報で特定される前記測定時間帯に含まれる場合には前記紫外線センサーを動作させ、前記時刻計測部が出力する前記時刻情報で特定される時刻が前記測定時間帯情報で特定される前記測定時間帯に含まれない場合には前記紫外線センサーの動作を停止させる制御部と、を備えたことを特徴とする紫外線測定装置である。
【０００７】
また、本発明の紫外線測定装置において、前記制御部は、前記時刻計測部が出力する前記時刻情報で特定される時刻が前記測定時間帯情報で特定される時間帯に含まれる場合には、一定時間毎に紫外線強度を測定するように前記紫外線センサーを制御することを特徴とする。
【０００８】
また、本発明の紫外線測定装置において、前記制御部は、前記紫外線センサーが今回測定した紫外線強度と前回測定した紫外線強度とを比較し、強度が強い方の前記紫外線強度を示す情報を前記表示部に表示させることを特徴とする。
【０００９】
また、本発明の紫外線測定装置において、前記時刻計測部は日付情報を出力し、前記記憶部は季節毎の季節測定時間帯情報を記憶し、前記制御部は、前記時刻計測部が出力する前記日付情報に基づいて前記季節を特定し、前記記憶部が記憶する当該季節の前記季節測定時間帯情報を前記測定時間帯情報であると決定することを特徴とする。
【００１０】
また、本発明の紫外線測定装置において、前記時刻計測部は日付情報を出力し、前記記憶部は、前記紫外線センサーが測定した紫外線強度と、当該紫外線強度を測定した日時とを関連付けて記憶し、前記制御部は、前記記憶部が記憶する前日に測定した紫外線強度に基づいて前記測定時間帯情報を決定することを特徴とする。
【００１１】
また、本発明の紫外線測定装置において、前記記憶部は、日焼けに影響のある紫外線強度を示す閾値を記憶し、前記制御部は、前日に測定した各測定時刻での紫外線強度に基づいて未測定の時刻での紫外線強度を予測し、前日に測定した各測定時刻での紫外線強度および予測した未測定の時刻での紫外線強度が前記閾値を超えている時間帯を示す情報を前記測定時間帯情報とすることを特徴とする。
【発明の効果】
【００１２】
本発明によれば、記憶部が紫外線を測定する測定時間帯を特定する測定時間帯情報を記憶する。また、時刻計測部が時刻情報を出力する。また、時刻計測部が出力する時刻情報で特定される時刻が測定時間帯情報で特定される測定時間帯に含まれる場合には、制御部が紫外線センサーを動作させる。また、時刻計測部が出力する時刻情報で特定される時刻が測定時間帯情報で特定される測定時間帯に含まれない場合には、制御部が紫外線センサーの動作を停止させる。これにより、スイッチの操作が行われることなく紫外線センサーを動作および停止させることができ、消費電力を削減することができる。
【図面の簡単な説明】
【００１３】
【図１】本発明の第一の実施形態における紫外線測定装置の構成を示したブロック図である。
【図２】本発明の第一の実施形態における紫外線測定装置の動作を示したフローチャートである。
【図３】本発明の第二の実施形態における紫外線測定装置が表示する紫外線の測定結果を示した概略図である。
【図４】本発明の第二の実施形態における紫外線測定装置の動作を示したフローチャートである。
【図５】本発明の第三の実施形態における紫外線測定装置のＲＡＭが記憶する、紫外線を測定する時間帯を示す紫外線強度測定時間帯テーブルのデータ構造を示した概略図である。
【図６】本発明の第三の実施形態における紫外線測定装置の動作を示したフローチャートである。
【図７】本発明の第四の実施形態における紫外線測定装置が、ある日時に紫外線を測定した測定時間帯と紫外線の測定結果との例を示したグラフである。
【図８】本発明の第四の実施形態における紫外線測定装置が、ある日時に紫外線を測定した測定時間帯と紫外線の測定結果との例を示したグラフである。
【図９】本発明の第四の実施形態における紫外線測定装置が、ある日時に紫外線を測定した測定時間帯と紫外線の測定結果との例を示したグラフである。
【図１０】本発明の第四の実施形態における紫外線測定装置が、前日に測定した紫外線の強度に基づいて、紫外線を測定する測定時間帯を変更した時間帯の例を示したグラフである。
【図１１】本発明の第四の実施形態における紫外線測定装置が、前日に測定した紫外線の強度に基づいて、紫外線を測定する測定時間帯を変更した時間帯の例を示したグラフである。
【図１２】本発明の第四の実施形態における紫外線測定装置が、前日に測定した紫外線の強度に基づいて、紫外線を測定する測定時間帯を変更した時間帯の例を示したグラフである。
【図１３】本発明の第四の実施形態における紫外線測定装置の動作を示したフローチャートである。
【発明を実施するための形態】
【００１４】
（第一の実施形態）
以下、本発明の第一の実施形態について、図面を参照しながら説明する。図１は、本実施形態における紫外線測定装置の構成を示したブロック図である。図示する例では、紫外線測定装置１００は、ＣＰＵ１０１（中央処理装置、制御部）と、発振回路１０２と、分周回路１０３と、入力部１０４と、紫外線センサー１０５と、Ａ／Ｄ（アナログ−デジタル）変換部１０６と、時刻計測部１０７と、表示部１０８と、ＲＯＭ（Ｒｅａｄ  Ｏｎｌｙ  Ｍｅｍｏｒｙ、読み出し専用メモリ）１０９と、ＲＡＭ（Ｒａｎｄｏｍ  Ａｃｃｅｓｓ  Ｍｅｍｏｒｙ、ランダムアクセスメモリ）１１０と、電池１１１とを備える。
【００１５】
ＣＰＵ１０１は、紫外線測定装置１００が備える各部の制御を行う。発振回路１０２は、所定周波数の信号を出力する。分周回路１０３は、発振回路１０２の出力信号を所定分周比で分周してＣＰＵ１０１用の規準クロック信号や計時用の時計信号を出力する。入力部１０４は、外部から操作可能なスイッチによって構成されており、入力を受け付ける。紫外線センサー１０５は、紫外線の強度に応じたアナログ信号を出力する。Ａ／Ｄ変換部１０６は、紫外線センサー１０５が出力するアナログ信号をデジタル信号に変換する。時刻計測部１０７は、現在の日時（日付、時刻）を示す情報を出力する。表示部１０８は、紫外線の強度を示す情報（測定値（μＷ／ｃｍ２）、ＵＶインデックスなど）や日時などを表示する。
【００１６】
ＲＯＭ１０９は、ＣＰＵ１０１が実行するプログラムを予め記憶している。ＲＡＭ１１０は、紫外線測定装置１００が紫外線を測定する測定時間帯を示す測定時間帯情報や、紫外線センサー１０５が測定した紫外線の強度を示す情報など、紫外線測定装置１００が用いるデータを記憶する。電池１１１は、紫外線測定装置１００が備える各部に電力を供給する。
【００１７】
次に、本実施形態における紫外線測定装置１００の動作について説明する。図２は、本実施形態における紫外線測定装置１００の動作を示したフローチャートである。
【００１８】
（ステップＳ１０１）ＣＰＵ１０１は、時刻計測部１０７が出力する現在の時刻が、ＲＡＭ１１０に記憶されている測定時間帯情報で特定される測定時間帯に含まれるか否かを判定する。時刻計測部１０７が出力する現在の時刻が、ＲＡＭ１１０に記憶されている測定時間帯情報で特定される測定時間帯に含まれるとＣＰＵ１０１が判定した場合にはステップＳ１０２の処理に進み、それ以外の場合にはステップＳ１０５の処理に進む。例えば、ＲＡＭ１１０に記憶されている計測時間帯情報で特定される測定時間帯が午前１０時から午後５時である場合、現在の時刻が午前１０時から午後５時までであればステップＳ１０２の処理に進み、それ以外の場合にはステップＳ１０５の処理に進む。
【００１９】
（ステップＳ１０２）ＣＰＵ１０１は、紫外線センサー１０５の動作を開始させる。その後、ステップＳ１０３の処理に進む。
（ステップＳ１０３）紫外線センサー１０５は、紫外線の強度に応じたアナログ信号をＡ／Ｄ変換部１０６に出力する。Ａ／Ｄ変換部１０６は、入力されたアナログ信号をデジタル信号に変換してＣＰＵ１０１に出力する。ＣＰＵ１０１は、入力されたデジタル信号に基づいて紫外線の強度を特定する。その後、ステップＳ１０４の処理に進む。
【００２０】
（ステップＳ１０４）ＣＰＵ１０１は、ステップＳ１０３で特定した紫外線の強度を示す情報を表示部１０８に表示させる。その後、ステップＳ１０１の処理に戻る。
（ステップＳ１０５）ＣＰＵ１０１は、紫外線センサー１０５の動作を停止させる。その後、ステップＳ１０１の処理に戻る。
【００２１】
上述したとおり、本実施形態によれば、紫外線測定装置１００は、ＲＡＭ１１０が記憶している紫外線の強度が強い時間帯を示す測定時間帯情報に基づいて、紫外線の強度が強い時間帯にのみ紫外線センサー１０５を動作させ、紫外線の強度が弱い時間帯では紫外線センサー１０５の動作を停止させる。これにより、ユーザが紫外線の強度を測定するための操作を行うことなく、紫外線測定装置１００は、紫外線の強い時間帯には自動的に紫外線の測定を行うことができる。さらに、紫外線測定装置１００は、紫外線の弱い時間帯には自動的に紫外線の測定を停止させるため、消費電力を削減することができる。
【００２２】
（第二の実施形態）
以下、本発明の第二の実施形態について、図面を参照しながら説明する。本実施形態の紫外線測定装置１００の構成は、第一の実施形態における紫外線測定装置１００の構成と同様の構成である。本実施形態の紫外線測定装置１００と第一の実施形態における紫外線測定装置１００とで異なる点は、本実施形態の紫外線測定装置１００は、現在の時刻が測定時間帯に含まれている間、一定時間（例えば３０分）が経過する毎に紫外線の強度を測定する。これは、紫外線の強度は頻繁には変化しないため、一定時間毎に測定することで、より消費電力を低減させるためである。なお、紫外線測定装置１００が紫外線の強度を測定する時間間隔（一定時間）は予め定められていてもよく、ユーザの指定により任意に変更できるようにしてもよい。
【００２３】
また、本実施形態の紫外線測定装置１００は、今回測定した紫外線の強度と前回測定した紫外線の強度とのうち、強度が強い方の紫外線強度情報を表示する。これは、偶然日陰に入った時など紫外線の強度が弱い時に紫外線を測定した場合、日なたなど紫外線の強度が強い場所での紫外線の強度と大きく異なってしまうため、ユーザに日なたでの紫外線の強度を報知することができない。そのため、前回の測定と今回の測定との２回の測定のうち強度の強い紫外線の強度を報知することで、偶然紫外線の強度の弱いときに紫外線の強度を測定した場合においても、強度の強い場合の紫外線の強度をユーザに報知する。
【００２４】
図３は、本実施形態における紫外線測定装置１００が表示する紫外線の測定結果を示した概略図である。図示する例では、１回目の測定である「測定１」から二回目の測定である「測定２」までの間には、紫外線測定装置１００は「測定１」で測定した紫外線の強度を表示する。
【００２５】
「測定１」から「測定２」までの間には、紫外線測定装置１００は「測定１」で測定した紫外線の強度と、「測定２」で測定した紫外線の強度とのうち、強度が強い方の紫外線の強度を表示する。具体的には、紫外線測定装置１００は、「測定１」で測定した紫外線の強度より「測定２」で測定した紫外線の強度の方が強い場合には「測定２」で測定した紫外線の強度を表示する。また、紫外線測定装置１００は、「測定２」で測定した紫外線の強度より「測定１」で測定した紫外線の強度の方が強い場合には「測定１」で測定した紫外線の強度を表示する。
【００２６】
「測定２」から「測定３」までの間には、紫外線測定装置１００は「測定２」で測定した紫外線の強度と、「測定３」で測定した紫外線の強度とのうち、強度が強い方の紫外線の強度を表示する。具体的には、紫外線測定装置１００は、「測定２」で測定した紫外線の強度より「測定３」で測定した紫外線の強度の方が強い場合には「測定３」で測定した紫外線の強度を表示する。また、紫外線測定装置１００は、「測定３」で測定した紫外線の強度より「測定２」で測定した紫外線の強度の方が強い場合には「測定２」で測定した紫外線の強度を表示する。
【００２７】
次に、本実施形態における紫外線測定装置１００の動作について説明する。図４は、本実施形態における紫外線測定装置１００の動作を示したフローチャートである。
【００２８】
（ステップＳ２０１）ＣＰＵ１０１は、時刻計測部１０７が出力する現在の時刻が、ＲＡＭ１１０に記憶されている測定時間帯情報で特定される測定時間帯に含まれるか否かを判定する。時刻計測部１０７が出力する現在の時刻が、ＲＡＭ１１０に記憶されている測定時間帯情報で特定される測定時間帯に含まれるとＣＰＵ１０１が判定した場合にはステップＳ２０２の処理に進み、それ以外の場合にはステップＳ２０８の処理に進む。
【００２９】
（ステップＳ２０２）ＣＰＵ１０１は、紫外線センサー１０５の動作を開始させる。その後、ステップＳ２０３の処理に進む。
（ステップＳ２０３）ＣＰＵ１０１は、時刻計測部１０７が出力する現在の時刻と、ＲＡＭ１１０に記憶されている前回紫外線の強度を測定した時刻とに基づいて、前回紫外線の強度を測定した時刻からｎ分（一定時間）経過したか否かを判定する。時刻計測部１０７が出力する現在の時刻が、ＲＡＭ１１０に記憶されている前回紫外線の強度を測定した時刻からｎ分経過しているとＣＰＵ１０１が判定した場合にはステップＳ２０４の処理に進み、それ以外の場合にはステップＳ２０３の処理を再度実行する。
【００３０】
（ステップＳ２０４）紫外線センサー１０５は、紫外線の強度に応じたアナログ信号をＡ／Ｄ変換部１０６に出力する。Ａ／Ｄ変換部１０６は、入力されたアナログ信号をデジタル信号に変換してＣＰＵ１０１に出力する。ＣＰＵ１０１は、入力されたデジタル信号に基づいて紫外線の強度を特定し、時刻計測部１０７が出力する現在の時刻と関連付けてＲＡＭ１１０に記憶させる。その後、ステップＳ２０５の処理に進む。
【００３１】
（ステップＳ２０５）ＣＰＵ１０１は、今回ステップＳ２０４の処理で特定した紫外線の強度が前回ステップＳ２０４の処理で特定した紫外線の強度よりも強いか否かを判定する。今回ステップＳ２０４の処理で特定した紫外線の強度は前回ステップＳ２０４の処理で特定した紫外線の強度よりも強いとＣＰＵ１０１が判定した場合にはステップＳ２０６の処理に進み、それ以外の場合にはステップＳ２０７の処理に進む。なお、ステップＳ２０５の処理を初めて行った場合には、ステップＳ２０４の処理も一度しか行われておらず前回ステップＳ２０４の処理で特定した紫外線の強度は存在しないため、ステップＳ２０６の処理に進む。
【００３２】
（ステップＳ２０６）ＣＰＵ１０１は、今回ステップＳ２０４の処理で特定した紫外線の強度を示す情報を表示部１０８に表示させる。その後、ステップＳ２０１の処理に戻る。
（ステップＳ２０７）ＣＰＵ１０１は、前回ステップＳ２０４の処理で特定した紫外線の強度を示す情報を表示部１０８に表示させる。その後、ステップＳ２０１の処理に戻る。
（ステップＳ２０８）ＣＰＵ１０１は、紫外線センサー１０５の動作を停止させる。その後、ステップＳ２０１の処理に戻る。
【００３３】
上述したとおり、本実施形態によれば、紫外線測定装置１００は、紫外線の強度が強い時間帯のみ紫外線センサー１０５を動作させ、紫外線の強度が弱い時間帯では紫外線センサー１０５の動作を停止させる。さらに、紫外線測定装置１００は、一定時間が経過する毎に紫外線の強度を測定するように制御する。これにより、紫外線測定装置１００が紫外線の強度を測定する回数は少なくなるため、より消費電力を低減することができる。また、紫外線測定装置１００は、今回（現在）測定した紫外線の強度と前回測定した紫外線の強度とのうち、強度が強い紫外線の強度を示す情報を表示する。これにより、偶然紫外線の強度の弱いときに紫外線の強度を測定した場合においても、強度の強い場合の紫外線の強度をユーザに報知することができる。
【００３４】
（第三の実施形態）
以下、本発明の第三の実施形態について、図面を参照しながら説明する。本実施形態の紫外線測定装置１００の構成は、第一の実施形態における紫外線測定装置１００の構成と同様の構成である。本実施形態の紫外線測定装置１００と第一の実施形態における紫外線測定装置１００とで異なる点は、本実施形態の紫外線測定装置１００は、紫外線を測定する時間帯を示す紫外線強度測定時間帯テーブル（季節測定時間帯情報）を記憶しており、現在の季節（月）に応じて測定時間帯を自動的に変更する点である。これは、季節（月）によって紫外線の強度の強い時間帯が異なるため、紫外線の強度を測定する時間帯を紫外線の強い時間帯に合わせるためである。これにより、より効率的に紫外線の強度を測定することができるため、より消費電力を低減することができる。
【００３５】
図５は、本実施形態における紫外線測定装置１００のＲＡＭ１１０が記憶する、紫外線を測定する時間帯を示す紫外線強度測定時間帯テーブルのデータ構造を示した概略図である。図示する例は、季節として１月から１２月の各月を用いており、紫外線強度測定時間帯テーブルは、１月から１２月までの月を示す「月」と、紫外線の強度を測定する測定時間帯を示す「紫外線強度測定時間帯」との２つの項目を有しており、紫外線測定装置１００が各月において紫外線を測定する測定時間帯を示す情報を記憶している。
【００３６】
具体的には、行５０１は、月「１月  ２月  １２月」と紫外線強度測定時間帯「午前１０時〜午後３時」とを関連付けて記憶している。これは、紫外線の強度の強い時間帯が短い１月と２月と１２月では、紫外線測定装置１００は午前１０時〜午後３時までの時間帯に紫外線の強度を測定することを示している。また、行５０２は、月「３月  ４月  １０月  １１月」と紫外線強度測定時間帯「午前９時〜午後４時」とを関連付けて記憶している。これは、３月と４月と１０月と１１月では、紫外線測定装置１００は午前９時〜午後４時までの時間帯に紫外線の強度を測定することを示している。また、行５０３は、月「５月  ６月  ７月  ８月  ９月」と紫外線強度測定時間帯「午前８時〜午後５時」とを関連付けて記憶している。これは、紫外線の強度の強い時間帯が長い５月と６月と７月と８月と９月では、紫外線測定装置１００は午前８時〜午後５時まで時間帯に紫外線の強度を測定することを示している。なお、紫外線強度測定時間帯テーブルは予めＲＡＭ１１０が記憶していてもよく、ユーザが入力部１０４を操作してＲＡＭ１１０が記憶する紫外線強度測定時間帯テーブルに値を登録するようにしてもよい。
【００３７】
次に、本実施形態における紫外線測定装置１００の動作について説明する。図６は、本実施形態における紫外線測定装置１００の動作を示したフローチャートである。
【００３８】
（ステップＳ３０１）ＣＰＵ１０１は、時刻計測部１０７が出力する日時情報（現在の「月」を示す情報）を取得し、取得した日時情報が示す「月」と関連付けて紫外線強度測定時間帯テーブルに記憶されている「紫外線強度測定時間帯」を紫外線の強度を測定する測定時間帯であると決定する。その後、ステップＳ３０２の処理に進む。例えば、ＣＰＵ１０１は、現在の「月」が１月であれば紫外線の強度を測定する測定時間帯を午前１０時〜午後３時と決定する。
【００３９】
（ステップＳ３０２）ＣＰＵ１０１は、時刻計測部１０７が出力する現在の時刻が、ステップＳ３０１で決定した測定時間帯に含まれるか否かを判定する。時刻計測部１０７が出力する現在の時刻が、ステップＳ３０１で決定した測定時間帯に含まれるとＣＰＵ１０１が判定した場合にはステップＳ３０３の処理に進み、それ以外の場合にはステップＳ３０６の処理に進む。
【００４０】
（ステップＳ３０３）ＣＰＵ１０１は、紫外線センサー１０５の動作を開始させる。その後、ステップＳ３０４の処理に進む。
（ステップＳ３０４）紫外線センサー１０５は、紫外線の強度に応じたアナログ信号をＡ／Ｄ変換部１０６に出力する。Ａ／Ｄ変換部１０６は、入力されたアナログ信号をデジタル信号に変換してＣＰＵ１０１に出力する。ＣＰＵ１０１は、入力されたデジタル信号に基づいて紫外線の強度を特定する。その後、ステップＳ３０５の処理に進む。
【００４１】
（ステップＳ３０５）ＣＰＵ１０１は、ステップＳ３０４で特定した紫外線の強度を示す情報を表示部１０８に表示させる。その後、ステップＳ３０１の処理に戻る。
（ステップＳ３０６）ＣＰＵ１０１は、紫外線センサー１０５の動作を停止させる。その後、ステップＳ３０１の処理に戻る。
【００４２】
上述したとおり、本実施形態の紫外線測定装置１００は、月（季節）によって紫外線の強度の強い時間帯が異なるため月（季節）に応じて測定時間帯を自動的に変更し、紫外線の強度が強い時間帯のみ紫外線センサー１０５を動作させ、紫外線の強度が弱い時間帯では紫外線センサー１０５の動作を停止させる。これにより、より効率的に紫外線の強度を測定することができるため、より消費電力を低減することができる。なお、上述した例では季節として「月」を用いて説明したが、これに限らず、季節として「春」（例えば、３月から５月）、「夏」（例えば、６月から８月）、「秋」（例えば、９月から１１月）、「冬」（例えば、１２月から２月）を用いてもよい。
【００４３】
（第四の実施形態）
以下、本発明の第四の実施形態について、図面を参照しながら説明する。本実施形態の紫外線測定装置１００の構成は、第一の実施形態における紫外線測定装置１００の構成と同様の構成である。本実施形態の紫外線測定装置１００と第一の実施形態における紫外線測定装置１００とで異なる点は、本実施形態の紫外線測定装置１００は、測定した紫外線の強度を示す情報を記憶し、前日に紫外線を測定した際に記憶した紫外線の強度を示す情報に基づいて、本日紫外線を測定する測定時間帯を決定する。
【００４４】
図７から図９は、本実施形態における紫外線測定装置１００が、ある日時に紫外線を測定した測定時間帯（紫外線センサー１０５が動作している時間帯）と紫外線の測定結果との例を示したグラフである。紫外線の測定結果を示すグラフには、日焼けに影響がある閾値７００が記載されている。日焼けに影響がある閾値は日焼けをし易い紫外線の強度の閾値であり、紫外線の強度が日焼けに影響がある閾値以上である場合は日焼けをし易く、紫外線の強度が、日焼けに影響がある閾値よりも弱い場合は日焼けをし難い。
【００４５】
図７に示した例では、紫外線測定装置１００が紫外線の強度を測定する測定時間帯は午前７時３０分から午後４時３０分である。この測定時間帯に測定した紫外線強度は、曲線７０１で示されている。紫外線強度の測定結果（曲線７０１）より、紫外線測定装置１００が測定した紫外線の強度が日焼けに影響がある閾値を超えている時間帯は、測定時間帯と同じ午前７時３０分から午後４時３０分である。
【００４６】
図８に示した例では、紫外線測定装置１００が紫外線の強度を測定する測定時間帯は午前７時３０分から午後４時３０分である。この測定時間帯に測定した紫外線強度は、曲線８０１で示されている。また、紫外線測定装置１００が測定した紫外線の強度に基づいて予測した紫外線の強度は破線８０２で示されている。紫外線強度の測定結果（曲線８０１）と紫外線強度の予測結果（破線８０２）より、紫外線測定装置１００が測定した紫外線の強度および測定した強度に基づいて予測した紫外線の強度が日焼けに影響がある閾値を超えている時間帯は、測定時間帯よりも長い午前７時３０分から午後７時３０分である。なお、紫外線測定装置１００が測定した紫外線の強度に基づいて、測定していない時間帯における紫外線の強度を予測する方法はどのような方法を用いてもよい。
【００４７】
図９に示した例では、紫外線測定装置１００が紫外線の強度を測定する測定時間帯は午前７時３０分から午後４時３０分である。
この測定時間帯に測定した紫外線強度は、曲線９０１で示されている。紫外線強度の測定結果（曲線９０１）より、紫外線測定装置１００が測定した紫外線の強度が日焼けに影響がある閾値を超えている時間帯は、測定時間帯よりも短い午前１０時３０分から午後１時３０分までの間である。
【００４８】
図１０から図１２は、本実施形態における紫外線測定装置１００が、前日に測定した紫外線の強度に基づいて、紫外線を測定する測定時間帯を変更した時間帯の例を示したグラフである。本実施形態の紫外線測定装置１００は、前日の紫外線の測定結果および予測結果において紫外線の強度が日焼けに影響がある閾値を超えていた時間帯を、本日の計測時間帯と決定する。
【００４９】
図１０に示した例では、前日に測定した紫外線の強度が図７に示した強度である場合における測定時間帯を示している。前日の紫外線の測定結果では、紫外線の強度が日焼けに影響がある閾値を超えていた時間帯は午前７時３０分から午後４時３０分である。そのため、紫外線測定装置１００のＣＰＵ１０１は、本日の測定時間帯を前日の測定時間帯と同じ午前７時３０分から午後４時３０分と決定する。
【００５０】
図１１に示した例では、前日に測定した紫外線の強度が図８に示した強度である場合における測定時間帯を示している。前日の紫外線の測定結果および予測結果では、紫外線の強度が日焼けに影響がある閾値を超えていた時間帯は午前７時３０分から午後７時３０分である。そのため、紫外線測定装置１００のＣＰＵ１０１は、本日の測定時間帯を前日の測定時間帯よりも長い午前７時３０分から午後７時３０分と決定する。
【００５１】
図１２に示した例では、前日に測定した紫外線の強度が図９に示した強度である場合における測定時間帯を示している。前日の紫外線の測定結果および予測結果では、紫外線の強度が日焼けに影響がある閾値を超えていた時間帯は午前１０時３０分から午後１時３０分である。そのため、紫外線測定装置１００のＣＰＵ１０１は、本日の測定時間帯を前日の測定時間帯よりも短い午前１０時３０分から午後１時３０分と決定する。
【００５２】
次に、本実施形態における紫外線測定装置１００の動作について説明する。図１３は、本実施形態における紫外線測定装置１００の動作を示したフローチャートである。なお、本実施形態の紫外線測定装置１００のＣＰＵ１０１は、測定した紫外線の強度を示す情報を測定した日時と関連付けてＲＡＭ１１０に記憶させる。そして、紫外線測定装置１００のＣＰＵ１０１は、前日に紫外線を測定した際にＲＡＭ１１０に記憶させた紫外線の強度を示す情報に基づいて、本日紫外線を測定する測定時間帯を決定する。紫外線測定装置１００のＣＰＵ１０１による本日の測定時間帯の決定方法は上述したとおりである。
【００５３】
（ステップＳ４０１）ＣＰＵ１０１は、前日に測定した紫外線の強度に基づいて、本日紫外線を測定する測定時間帯を決定する。その後、ステップＳ４０２の処理に進む。
【００５４】
（ステップＳ４０２）ＣＰＵ１０１は、時刻計測部１０７が出力する現在の時刻が、ステップＳ４０１で決定した測定時間帯に含まれるか否かを判定する。時刻計測部１０７が出力する現在の時刻が、ステップＳ４０１で決定した測定時間帯に含まれるとＣＰＵ１０１が判定した場合にはステップＳ４０３の処理に進み、それ以外の場合にはステップＳ４０６の処理に進む。
【００５５】
（ステップＳ４０３）ＣＰＵ１０１は、紫外線センサー１０５の動作を開始させる。その後、ステップＳ４０４の処理に進む。
（ステップＳ４０４）紫外線センサー１０５は、紫外線の強度に応じたアナログ信号をＡ／Ｄ変換部１０６に出力する。Ａ／Ｄ変換部１０６は、入力されたアナログ信号をデジタル信号に変換してＣＰＵ１０１に出力する。ＣＰＵ１０１は、入力されたデジタル信号に基づいて紫外線の強度を特定し、特定した紫外線の強度を示す情報と時刻計測部１０７が出力する現在の時刻とを関連付けてＲＡＭ１１０に記憶させる。その後、ステップＳ４０５の処理に進む。
【００５６】
（ステップＳ４０５）ＣＰＵ１０１は、ステップＳ４０４で特定した紫外線の強度を示す情報を表示部１０８に表示させる。その後、ステップＳ４０１の処理に戻る。
（ステップＳ４０６）ＣＰＵ１０１は、紫外線センサー１０５の動作を停止させる。その後、ステップＳ４０１の処理に戻る。
【００５７】
上述したとおり、本実施形態の紫外線測定装置１００は、季節によって紫外線の強度の強い時間帯が異なるため、前日に測定した紫外線の強度に基づいて測定時間帯を決定し、紫外線の強度が強い時間帯のみ紫外線センサー１０５を動作させ、紫外線の強度が弱い時間帯では紫外線センサー１０５の動作を停止させる。これにより、より効率的に紫外線の強度を測定することができるため、より消費電力を低減することができる。
【００５８】
なお、上述した第一の実施形態から第四の実施形態における紫外線測定装置１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００５９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６０】
以上、本発明の第一の実施形態から第四の実施形態について説明したが、本発明は、上記実施形態に限定されるものではなく、本発明の趣旨を逸脱しない範囲において種々の変更を加えることが可能である。例えば、紫外線測定装置１００を腕時計型の装置としてもよく、容易に持ち運びが可能なように小型の装置としてもよい。また、紫外線測定装置１００を他の電子機器に組み込んでもよい。
【符号の説明】
【００６１】
１００・・・紫外線測定装置、１０１・・・ＣＰＵ、１０２・・・発振回路、１０３・・・分周回路、１０４・・・入力部、１０５・・・紫外線センサー、１０６・・・Ａ／Ｄ変換部、１０７・・・時刻計測部、１０８・・・表示部、１０９・・・ＲＯＭ、１１０・・・ＲＡＭ、１１１・・・電池
【図１】
2011179985.tif 000003
【図２】
2011179985.tif 000004
【図３】
2011179985.tif 000005
【図４】
2011179985.tif 000006
【図５】
2011179985.tif 000007
【図６】
2011179985.tif 000008
【図７】
2011179985.tif 000009
【図８】
2011179985.tif 000010
【図９】
2011179985.tif 000011
【図１０】
2011179985.tif 000012
【図１１】
2011179985.tif 000013
【図１２】
2011179985.tif 000014
【図１３】
2011179985.tif 000015